(57)【要約】【課題】  画面表示言語、単位系等や、音声ガイダンス言語、警報音の種類等を操作者に応じて自動的に切り換えることができるユーザインタフェース設定切換方法を提供する。【解決手段】  射出成形機（１）のコントローラ（２）においてＩＤカード（１３）によって操作者を認証するとき、各操作者に対して予め定義されているユーザインタフェース設定を読み出す。このユーザインタフェース設定に従って画面表示したり音声出力するように構成する。ユーザインタフェース設定は、画面表示言語、データ単位系、日付表記、画面配色、ディスプレイの輝度等の画面表示設定と、音声ガイダンスの言語、警報音の種類等の音声出力設定がある。【選択図】図１
2012200953.tif 000002
【特許請求の範囲】
【請求項１】
コントローラとディスプレイとを備え、操作者を認証して操作を許可する射出成形機において、
操作者からの認証を受けると、前記コントローラは操作者を認証し、そして操作者毎に予め定義されている、画面表示言語の指定とデータ単位系の指定とからなるユーザインタフェース設定に従って前記ディスプレイに画面表示することを特徴とするユーザインタフェース設定切換方法。
【請求項２】
請求項１に記載の方法において、前記ユーザインタフェース設定は、日付表記の指定、画面配色の指定、あるいは前記ディスプレイの輝度の指定も含み、各指定に従って画面表示することを特徴とするユーザインタフェース設定切換方法。
【請求項３】
請求項１または２に記載の方法において、前記射出成形機はスピーカを備え、前記ユーザインタフェース設定は、音声ガイダンスの言語の指定、または警報音の指定も含み、各指定に従って前記スピーカから音声出力することを特徴とするユーザインタフェース設定切換方法。
【請求項４】
請求項１〜３のいずれかの項に記載の方法において、操作者の認証は、操作者毎に定義されている識別番号が格納されたＩＤカードによって実施することを特徴とするユーザインタフェース設定切換方法。
【請求項５】
請求項１〜４のいずれかの項に記載の方法によりユーザインタフェース設定が切り換えられることを特徴とする射出成形機。
【発明の詳細な説明】
【技術分野】
【０００１】
本発明は、射出成形機に設けられているコントローラのディスプレイにおいて、表示言語、単位等を切り換えて画面を表示したり、音声出力の言語、警告音の種類等を切り換えて音声出力する、ユーザインタフェース設定切換方法、および射出成形機に関するものである。
【背景技術】
【０００２】
射出成形機は、加熱シリンダと該加熱シリンダ内で回転方向と軸方向とに駆動可能に設けられているスクリュとからなる射出装置、一対の金型、これらの金型を型締する型締装置、成形品を突き出すエジェクタ装置等から構成され、これらの装置はコントローラによって制御されるようになっている。コントローラには各種画面が表示される表示手段すなわちディスプレイが設けられている。そして各種データの入力や操作を受け付ける入力手段がディスプレイと独立して設けられている場合もあるし、タッチパネル式ディスプレイのようにディスプレイと共通になっている場合もある。操作者はこのようなディスプレイに必要な画面を表示して、運転条件を入力したり各種プロセスデータ等を確認して射出成形機を操作することができる。このようにコントローラから操作すると、射出成形機を運転したり、製造技術に関するデータも容易に入手することができるので、一般的な射出成形機のコントローラにおいては、許可された操作者のみ操作できるように操作者の認証が行われている。
【先行技術文献】
【特許文献】
【０００３】
【特許文献１】特許第２６２０１５２号公報
【特許文献２】特許第４３６４１４７号公報
【０００４】
特許文献１には、射出成形機において、操作者毎に操作可能な内容を規定してセキュリティを確保する方法が記載されている。特許文献１によると、操作者のそれぞれにセキュリティに関する情報が記載されたＩＣカードが配布される。これらのカードには、射出成形機の操作のうち許可されている操作範囲、あるいは射出成形機のコントローラに設けられている画面で表示可能なデータの範囲が定義されている。射出成形機を操作するときにＩＣカードをカードリーダに挿入すると、許可された範囲で射出成形機を操作したりデータを表示できるようになっている。
【０００５】
特許文献２は本発明の直接的な文献ではないが、この文献には、射出成形機において操作した履歴が操作者の情報と共に保存され、この履歴を画面に表示するときには、操作者の情報と共に表示して操作者を特定できるようにする方法が記載されている。
【発明の概要】
【発明が解決しようとする課題】
【０００６】
特許文献１に記載の方法のように、所定のＩＣカードによって操作者を認証して、操作者毎に操作可能な範囲内を許可するようにすれば、射出成形機を安全に運転することができセキュリティに優れている。また特許文献２に記載の方法のように、操作者の操作の履歴を操作者と紐付けて保存するようにすれば、過去の運転の履歴を解析するときに役立つ。しかしながら、これらの方法はコントローラにおいて操作者の認証をするようにはしているが、操作者に応じて最適な操作環境を提供するという点では改善の余地が認められる。具体的には、比較的大きな工場では、母国語や文化が異なる色々な国からの操作者が勤務することが多く、これらの操作者が射出成形機を共用することも珍しくないが、それぞれの操作者に対して最適な操作環境を提供するという点において問題が見受けられる。近年の射出成形機においては、日本語、英語、中国語、韓国語、フランス語、スペイン語、ポルトガル語、タイ語等の多数の言語をサポートしており、表示言語の設定を切り換えると任意の言語で画面表示をすることができる。また、データの単位系についても、例えば国際単位系、ＭＫＳ単位系、ＰＳＩ単位系等をサポートしている射出成形機もあり、設定を切り換えると任意の単位系によってデータ表示することができる。さらには、日付表示の表記等についても英国式、米国式、あるいは他の表記法に切り換えることができる。しかしながらこれらの切り換えは、一般的に特殊な保守画面を呼び出して設定するようになっており煩雑で時間を要する。操作者毎に操作者に慣れ親しんだ操作環境に切り換えるようにすれば操作ミスを防止でき作業効率も向上するが、このように切り換え作業が繁雑であると、１日に何回も操作者が交代するような場合には実質的に切り換えることはできない。仮に、切り換え作業を容易に実施できるように工夫したとしても、操作者が能動的に作業をしなければならない限り、切り換えをし忘れて重大な操作ミスにつながる可能性もある。
【０００７】
本発明は、上記したような従来の問題点あるいは課題を解決した、射出成形機のユーザインタフェース設定切換方法、および射出成形機を提供することを目的としており、具体的には、画面における表示言語、単位系等や、音声出力における音声ガイダンス言語、警報音の種類等を操作者に応じて自動的に切り換えることができるユーザインタフェース設定切換方法、およびそのような切り換え方法を実施することができる射出成形機を提供することを目的としている。
【課題を解決するための手段】
【０００８】
本発明は、上記目的を達成するために、射出成形機のコントローラが操作者を認証するとき、操作者に対して予め定義されているユーザインタフェース設定を読み出して、このユーザインタフェース設定に従って画面表示したり音声出力するように構成する。ユーザインタフェース設定は、画面表示言語の指定とデータ単位系の指定とからなるが、日付表記の指定、画面配色の指定、あるいは前記ディスプレイの輝度の指定も含んでいても良いし、音声ガイダンスの言語の指定、または警報音の種類の指定を含んでいても良い。
【０００９】
すなわち、請求項１に記載の発明は、上記目的を達成するために、コントローラとディスプレイとを備え、操作者を認証して操作を許可する射出成形機において、操作者からの認証を受けると、前記コントローラは操作者を認証し、そして操作者毎に予め定義されている、画面表示言語の指定とデータ単位系の指定とからなるユーザインタフェース設定に従って前記ディスプレイに画面表示することを特徴とするユーザインタフェース設定切換方法として構成される。
請求項２に記載の発明は、請求項１に記載の方法において、前記ユーザインタフェース設定は、日付表記の指定、画面配色の指定、あるいは前記ディスプレイの輝度の指定も含み、各指定に従って画面表示するように構成される。
請求項３に記載の発明は、請求項１または２に記載の方法において、前記射出成形機はスピーカを備え、前記ユーザインタフェース設定は、音声ガイダンスの言語の指定、または警報音の指定も含み、各指定に従って前記スピーカから音声出力するように構成される。
請求項４に記載の発明は、請求項１〜３のいずれかの項に記載の方法において、操作者の認証は、操作者毎に定義されている識別番号が格納されたＩＤカードによって実施するように構成される。
請求項５に記載の発明は、請求項１〜４のいずれかの項に記載の方法によりユーザインタフェース設定が切り換えられることを特徴とする射出成形機として構成される。
【発明の効果】
【００１０】
以上のように本発明によると、コントローラとディスプレイとを備え、操作者を認証して操作を許可する射出成形機において、操作者からの認証を受けると、前記コントローラは操作者を認証し、そして操作者毎に予め定義されている、画面表示言語の指定とデータ単位系の指定とからなるユーザインタフェース設定に従って前記ディスプレイに画面表示するように構成されるので、操作者にとって慣れ親しんだ操作環境を提供することができる。つまり母国語等が異なる複数人の操作者が射出成形機を共用しても、それぞれの操作者の希望する言語で画面表示したり、慣れ親しんだ単位系によってデータを表示することができ、この設定の切換は自動的になされる。従って作業効率は高く、作業ミスを防止して安全を確保することができる。また他の発明によるとユーザインタフェース設定は、日付表記の指定、画面配色の指定、あるいはディスプレイの輝度の指定も含むので、さらに操作者の好みに適合させることができる。さらには他の発明によると、射出成形機はスピーカを備え、ユーザインタフェース設定は、音声ガイダンスの言語の指定、または警報音の指定も含み、各指定に従って前記スピーカから音声出力するので、音声出力においても操作者に適した操作環境を提供することができる。そして他の発明によると、操作者の認証は、操作者毎に定義されている識別番号が格納されたＩＤカードによって実施するように構成されている。ＩＤカードはＩＤカード読み取り機に読み取らせるだけでよく、格別にキーボード入力をする必要がないのでシンプルに操作できるという利点を備えているし、パスワードのように盗まれたり類推されて解読される恐れがないので安全性が高いという効果も得られる。
【図面の簡単な説明】
【００１１】
【図１】本発明の実施の形態に係る射出成形機のコントローラを模式的に示すブロック図である。
【図２】本実施の形態に係る射出成形機において、画面表示言語として日本語が、データ単位系として国際単位系がそれぞれ指定されたときの画面イメージである。
【図３】本実施の形態に係る射出成形機において、画面表示言語として中国語が、データ単位系としてＭＫＳ単位系がそれぞれ指定されたときの画面イメージである。
【図４】本実施の形態に係る射出成形機において、画面表示言語として英語が、データ単位系としてＰＳＩ単位系がそれぞれ指定されたときの画面イメージである。
【発明を実施するための形態】
【００１２】
以下、本発明の実施の形態を説明する。本実施の形態に係る射出成形機１は、従来周知のように、加熱シリンダとスクリュとからなる射出装置と、この射出装置から溶融樹脂が射出される型装置とから構成されている。このような射出成形機には射出成形機１を制御するコントローラ２が設けられている。コントローラ２は、図１に示されているように、ＣＰＵ３、このＣＰＵ３とバス４によって接続された各装置、すなわち内部メモリからなる１次記憶装置５、ハードディスク等からなる２次記憶装置６、タッチパネルを備えたディスプレイからなる表示装置７、スピーカからなる音声出力装置８、射出成形機１との間でデータの入出力を行う入出力インターフェース９等から構成されている。
【００１３】
本実施の形態に係る射出成形機１においては、いわゆるＲＦＩＤを備えたＩＤカード１３によって操作者を認証するように構成されている。従ってコントローラ２には、ＩＤカード１３と無線通信をしてＩＤカード１３の情報を読み取るカードリーダ装置１１が設けられ、バス４に接続されている。ＩＤカード１３は各操作者に配布されており、ＩＤカード１３には操作者を特定するユニークな番号すなわち識別番号１５が書き込まれている。このＩＤカード１３をカードリーダ装置１１にかざすと、ＩＤカード１３の無線通信部１４とカードリーダ装置１１が無線通信して識別番号１５が読み取られるようになっている。
【００１４】
本実施の形態においては、２次記憶装置６にユーザ設定ファイル１２が格納されている。ユーザ設定ファイル１２は操作者を認証するためのファイルであると共に、操作者毎に定義されているユーザインタフェース設定情報を格納するためのファイルでもある。ユーザインタフェース設定には、画面の表示設定や音声の出力設定があり、ユーザ設定ファイル１２には複数人分の操作者のユーザインタフェース設定の情報が格納されている。具体的には、操作者それぞれについて次のデータが格納されている。
（１）操作者の識別番号
（２）ユーザインタフェース設定
Ａ．画面表示設定
・画面表示言語
・データ単位系
・日付表記
・画面配色
・ディスプレイの輝度
Ｂ．音声出力設定
・音声ガイダンス言語
・警報音
【００１５】
ユーザインタフェース設定のうち「画面表示設定」は表示装置７に表示する画面についての設定項目、「音声出力設定」は音声出力装置８から出力する音声、警報音に関する設定項目である。
「画面表示言語」は、画面に表示する言語についての指定であり、日本語、英語、中国語、韓国語、フランス語、スペイン語、ポルトガル語、タイ語、等の各言語から任意の言語を指定することができる。
「データ単位系」は、長さ、重さ、温度等の各種データの単位系についての指定であり、国際単位系、ＭＫＳ単位系、ＰＳＩ単位系、等を指定することができる。
「日付表記」は日付の表記方法の指定であり、年月日の画面表示について、年／月／日の順で表記させたり、月／日／年、あるいは日／月／年の順で表記させたり、色々な表記方法を指定することができる。
「画面配色」は各画面における配色の指定である。
「ディスプレイの輝度」はバックライトの明るさの指定である。
なお「画面表示設定」として他の指定も格納できるようにしてもよく、例えば画面に表示するデータの配置や項目、すなわち画面構成についての指定が考えられる。
「音声ガイダンス言語」は音声出力装置８から出力するガイダンスの言語の指定である。
「警報音」は、警報音の種類の指定である。
【００１６】
本実施の形態に係る射出成形機１の作用を説明する。事前の準備作業として、コントローラ２において各操作者についてユーザインタフェース設定を定義する。具体的にはユーザ設定ファイル１２に、操作者の識別番号と、各操作者が希望する各種の画面表示設定、音声出力設定とを書き込むことになるが、この作業は表示装置７に所定の保守画面を表示させ、この保守画面から入力するようにする。対象となる操作者全員についてユーザインタフェース設定を格納したら、準備作業を完了する。
【００１７】
操作者が、所持しているＩＤカード１３をカードリーダ装置１１にかざす。そうするとＩＤカード１３内の無線通信部１４とカードリーダ装置１１が無線通信し、カードリーダ装置１１はＩＤカード内に保存されている識別番号１５を読み取る。コントローラ２は、識別番号１５が存在するか否かについてユーザ設定ファイル１２を照会する。ＩＤカードから読み取った識別番号１５が存在すれば、操作者のログインを許可する。すなわちコントローラ２は操作者を認証する。以下、コントローラ２は操作者の操作の要求を受け付けることができる。
【００１８】
本実施の形態に係る射出成形機１においては、ログインを許可するときに操作者に対して設定されているユーザインタフェース設定を読み込む。操作者の要求により各種の画面を表示装置７に表示するとき、コントローラ２は設定されている画面表示設定に従って画面を表示する。すなわち画面表示言語において指定されている言語、データ単位系で指定されている単位系等に従って画面を表示する。また音声出力装置８からガイダンス、警報音を出力するときには音声出力設定に応じて出力する。操作者がログアウトして他の操作者が認証されると、コントローラ２は、他の操作者に対して設定されているユーザインタフェース設定に従って画面表示したり音声出力する。図２には画面表示言語が日本語、データ単位系が国際単位系の指定における画面の例が、図３には画面表示言語が中国語、データ単位系がＭＫＳ単位系の指定における画面の例が、そして図４には画面表示言語が英語、データ単位系がＰＳＩ単位系の指定における画面の例が、それぞれ示されている。
【００１９】
本実施の形態は色々な変形が可能である。例えば、ユーザ設定ファイル１２について変形が可能である。本実施の形態においてはユーザ設定ファイル１２には、画面表示設定と音声出力設定とが格納されているように説明したが、画面表示設定だけが格納されていてもよい。また画面表示設定には、日付表記、画面配色、ディスプレイの輝度も含まれているが、これらは必ずしも必須ではない。認証の方法についても変形が可能であり、ＩＤカードは無線通信によって非接触で識別番号が読み取られるように説明したが、接触させて識別番号を読み取らせるタイプのＩＤカードであっても同様に実施することができる。さらにはＩＤカードではなく、ログインによって認証するようにすることも可能である。また、ユーザインタフェース設定の変更のタイミングについても変形が可能である。本実施の形態においては、操作者を認証したら直ちにユーザインターフェース設定を切り換えるように説明したが、操作者を認証後に操作者に対してユーザインタフェース設定の切換について確認を取るようにしてもよい。具体的にはユーザインタフェース設定の確認をする画面を表示して操作者の入力を待ってユーザインタフェース設定を変更するようにする。さらには操作者に対してユーザインタフェース設定のうち、いずれの設定を切り換えるかを選択できるようにしてもよい。
【符号の説明】
【００２０】
１    射出成形機
２    コントローラ                  ３    ＣＰＵ
５    １次記憶装置                  ６    ２次記憶装置
７    表示装置                      ８    音声出力装置
９    入出力インターフェース      １１    カードリーダ装置
１２    ユーザ設定ファイル          １３    ＩＤカード
１４    無線通信部                  １５    識別番号
【図１】
2012200953.tif 000003
【図２】
2012200953.tif 000004
【図３】
2012200953.tif 000005
【図４】
2012200953.tif 000006